(57)【特許請求の範囲】
【請求項１】
家具のスライディングドアの戸ための減衰または戻り装置（１）であって、反対の極性を有し、相互に連結された第１及び第２の部分（６ａ、６ｂ）を備える直径方向に分極した環状部材によって構成される磁石（６）の内側でスライド可能に、軸方向に相互作用する鋼のピン（２）を備える装置。
【請求項２】
前記装置はピン（２）を備え、
前記ピンは鋼で作られており、
前記ピンは第１のヘッド（３）を有し、
前記第１のヘッド（３）は平面視において多角形を有し、
前記第１のヘッド（３）から多角形の胴部（４）が軸方向に突き出ており、
前記胴部の先端部（５）は実質的にＶ字形状または円形状を有する、ことを特徴とする請求項１に記載の装置。
【請求項３】
前記鋼のピン（２）の前記胴部（４）は、前記ピンが前記環状部材に挿入されるときに前記ピンの動きを減衰する減衰素子（７）に反して動くことができる特徴とする請求項２に記載の装置。
【請求項４】
環状部材によって構成され、前記ピン（２）の前記胴部（４）と相補的な形状の磁石（６）を備え、
前記環状部材は２つの端部を有し、
前記２つの端部は、共に開口しているか、または一方が開口し他方が閉じていることを特徴とする請求項３に記載の装置。
【請求項５】
前記ピン（２）の前記胴部（４）は、前記磁石（６）の内側に軸方向に配置され、摩擦を受けることなくスライド可能である、ことができることを特徴とする請求項４に記載の装置。
【請求項６】
前記磁石（６）は、第１の半分の環状部材（６ａ）と第２の半分の環状部材（６ｂ）に分けて、直径方向に分極され、
前記第１の半分の環状部材（６ａ）は、前記第２の半分の環状部材（６ｂ）と形状が同一であり、
前記第１の半分の環状部材（６ａ）は、前記第２の半分の環状部材（６ｂ）と反対の極性を有し、
前記第１の半分の環状部材（６ａ）は、前記第２の半分の環状部材（６ｂ）と連結されていることを特徴とする請求項４または５に記載の装置。
【請求項７】
前記第１の半分の環状部材（６ａ）はＮ極を有し、前記第２の半分の環状部材（６ｂ）はＳ極を有することを特徴とする請求項６に記載の装置。
【請求項８】
前記減衰素子（７）は、前記直径方向に分極した磁石（６）の内側または外側に配置される少なくとも１つのバネによって構成される、ことを特徴とする請求項４乃至請求項７のいずれか１項に記載の装置。
【請求項９】
前記減衰素子（７）の長さは、前記直径方向に分極した磁石（６）の長さより短く、
前記ピン（２）の前記先端部（５）に向けられる前記減衰素子（７）の端部（８）において、挿入部（１０）の相補的な形状の胴部（９）は、軸方向に挿入され、前記磁石（６）の内側を滑ることができ、
前記挿入部（１０）は、前記ピン（２）の前記先端部（５）と相補的な形状の第２のヘッド（１１）を有することを特徴とする請求項４乃至８のいずれか１項に記載の装置。
【請求項１０】
前記減衰素子（７）は、第１の付属品（１２）と関連付けられ、前記第１の付属品から直角に突き出ており、
前記第１の付属品は、前記第１のヘッド（３）と関連付けられ、前記第１のヘッドから半径方向に突き出ており、
前記減衰素子（７）は、実質的に前記胴部（４）と平行に、かつ、前記ピン（２）の前記先端部（５）の方向で配置され、
前記減衰素子（７）の自由終端（８）は、第２の付属品（１３）に隣接して相互作用し、
前記第２の付属品は、前記磁石（６）を形成する前記第１または第２の半分の環状部材（６ａ、６ｂ）の１つから半径方向に突き出ていることを特徴とする請求項４乃至８のいずれか１項に記載の装置。
【発明の詳細な説明】
【技術分野】
【０００１】
本発明は、特に家具など、同一平面上の閉じるもの、あるいはそうでないもの、といったタイプの、スライディングドアの戸、または、引き出しのための減衰または戻り装置に関する。
【背景技術】
【０００２】
今日、通常の、開き戸に変わるものとして、解決策は、一般に衣装ダンス及び数々の家具の両方に、及びドア及び窓枠も、または、開けたときに空間を減らす必要がある閉める要素のその他の応用へ適用されることができるスライディングドアが知られている。
【０００３】
通常、そのような種類のドアは、１以上のドアの戸によって構成され、それぞれの１つは、それぞれ、閉じられる一部の天井及び任意に床に適用される、上部ガイドまたは下部ガイドによって構成された、レールによって案内された回転手段と一体のブラケットを有している。
【０００４】
スライディングドアを閉じる必要があるときに、必要に応じて自由にされることができる、開かれた位置、または、ドアの戸が案内された閉じるものに従う必要があるときに、閉じられた位置、へそれを戻すための装置と一体のドアの戸に適合することが知られている。
【０００５】
従来のスライディングドアの戸に見られる問題は、ドアの戸が、完全に閉じたり、完全に開いたりしたときに、ドアの枠や、家具の側で、ドアの戸が、部分的に閉じられた、または、部分的に開かれたことを残すこと、または、急にしまったりすることの可能性がある事実によって構成される。
【０００６】
そのような欠点の部分的な解決は、減衰器と、バネと、上を向いたＬ字型ガイドの中を滑ることができる、案内ピンを備える、連結素子と結合する、歯の組の中に適応されることができる、同調素子と、が内側に設置された、容器を備えるドアの戸の動作を、支援し、案内するように構成された装置が開示された欧州特許１６５８７８５号から知られている。
【０００７】
装置は、一部の１つの端部の近くに配置される。
【０００８】
例えば、ドアの戸を開くとき、ある点で、装置は、安定で、固定された状態において、Ｌ字型ガイドを通って、ピンが位置にくるまで、減衰器を稼働する同調素子を引っかける。ドアの戸が閉じられる時、同調素子は、歯の組と相互作用し、それゆえ完全に閉じられた状態になるまで、ドアに優しくついて行く減衰器を稼働する。
【０００９】
そのような解決策は、しかしながら、いくつかの欠点に苦しむ。あらゆる突き刺さりや摩擦の発生が、装置の操作に打ち勝ち、そしてそれゆえドアの戸の正しい閉じや完璧な開きを妨げるため、装置が、事実、例えば、Ｌ字型ガイドとそこにあるピンの間に存在する遊びの素子へ大きな注意を払う一方、前もって、一緒に置かれなければならない複数の素子によって構成されるという点で、構成の観点から複雑である。
【００１０】
さらに、従来の戻り装置は、戻りバネがそのストローク動作において一定の力を持たないという事実と関連がある他の臨界に苦しむ。
【００１１】
これにより、力が弱くなるため、ストローク動作の最後の部分に沿って戻るところに問題が生じ、逆に、ドアが開放された時に、バネの力が強すぎるというドアを開ける最後の部分に問題がある。
【００１２】
これにより、ドアの動きにおいて、戻る機構への連結は、機械的手段を手段としてなされるという事実に組み合わされるので、操作においてやっかいな騒音を発生する。
【００１３】
準備位置において固定された物体にある位置への力を与える第１の付勢物体を備える強制的な動作のための機構を開示する、欧州特許２４５５５７１号も知られている。
【００１４】
打つ物体が、準備位置に保持された固定された物体によって、所定の位置で捕らえられ、そして、移動できる物体が、捕らえられることにより保持されたことから、解放されることによって決定された位置への固定された物体の相対的な動作により、動作の終わりの位置へ上げられる。
【００１５】
減衰機構は、強制的な動作の機構を構成する固定された物体に接続するための接触部分と、進む方向に接触部分を付勢する第２の物体を備える。
【００１６】
減衰機構は、決定された位置への固定された物体の動作に伴う接触部分の引き戻しへの抵抗を付与するために、構成されている。
【００１７】
そのような解決策は、前述した同じ欠点に苦しむ。
【００１８】
例えばドアのような、固定されたフレームと相互作用するスライダを手段として稼働されることが可能な、空気のブレーキ手段を備えるブレーキ装置を開示する、欧州特許２５５７２５９号が知られている。１つの実施形態として、磁気ヘッドへまっすぐに位置される、１つの羽根と一体の固定されたＬ字型輪郭に接触したときに、ロッドがピストンの柄から引き出されることができるように機能する、磁気ヘッドを先端部に設けたロッドを有するピストンがある。
【００１９】
そのような解決策は、可能なブレーキ、突き刺さりを受ける柄を有するブレーキ装置に必要とされる考慮される長さ、のような多くの欠点に苦しむ。さらに、空気機能の信頼性が乏しい。
【００２０】
最後に、磁気ヘッドの唯一の機能は、柄の引き出しのために、同軸に沿って配置された、固定された物体へ直接に連結されることである。
【００２１】
外側または内側のドアの上端部が固定された上を向いたＵの字の様な形状の第１のフレームと第２のフレームからなる台車を備える減衰ストッパを有する衣装ダンスのドアのためのスライディングガイドを開示する、欧州特許２３３０２６９号も知られている。
【００２２】
減衰ストッパは台車に結合する部分に設けられる２つの台座の外側に固定された空気またはガスの減衰器を備える。
【００２３】
そのような解決策は、さらに、占める空間を増加するような、およびガイドがほとんど使われないような、台車の横方向に配置されるガス減衰器の使用のような多くの欠点に苦しむ。
【先行技術文献】
【特許文献】
【００２４】
【特許文献１】欧州特許１６５８７８５号
【特許文献２】欧州特許２４５５５７１号
【特許文献３】欧州特許２３３０２６９号
【発明の概要】
【発明が解決しようとする課題】
【００２５】
本発明の目的は、それゆえ、引用された文献の欠点を除去すること及びそれゆえ、単純な構造の、突き刺さることがなく、それが家具の壁に対して急に閉まることを防ぐ一方で、ドアやドアの戸の最適な閉まり、案内された開きを得ることができる、スライディングドアまたはドアの戸に適用することができる、装置を提供することによって、上述の技術的な問題を解決することである。
【００２６】
この目的の中における、本発明の他の目的は、従来のドアの戸、または家具の従来のドアに簡単に適用される装置を提供することである。
【００２７】
他の目的は、装置の大きさや重さが含まれている、それゆえ、コストが低い装置を提供することである。
【００２８】
本発明の他の目的は、様々な動作において摩擦や遊ぶ素子を含むことが可能である装置を提供することであり、それによって、ドアの戸の動作や滑りを最適化する。
【００２９】
他の目的は、その操作中に騒音のない発明を提供することである。
【課題を解決するための手段】
【００３０】
ここで以後よく明白になるこの目的、これら及び他の目的は、直径方向に分極された環状部材によって構成された磁石の中に摺動可能で軸方向に相互作用する、鋼のピンによって構成されるという特徴を有する家具のスライディングドアのための減衰または戻り装置によって達成される。
【発明の効果】
【００３１】
さらなる、本発明の特徴及び利点は、添付した図の限定されない実施例を手段として描かれた、特に、排他的でない、実施形態の詳細な説明からさらに明白になる。
【図面の簡単な説明】
【００３２】
【図１】本発明による装置の斜視分解組み立て図である。
【図２】図１の装置の断面図である。
【図３】直径方向に分極した環状部材と連結された装置の図１と同様な図である。
【図４】直径方向に分極した環状部材と連結された装置を示す図２と同様な図である。
【図５】図２の線Ｖ−Ｖに沿って切り取られた断面図である。
【図６】直径方向に分極した環状部材に配置された減衰素子がある図２の図と同様な装置の図である。
【図７】減衰素子がある図１の図と同様な装置の図である。
【図８】図２の図と同様な、図７の装置の図である。
【図９】分極した環状部材、ストローク動作の終了状態において、に連結されたピンを示す装置の図である。
【発明を実施するための形態】
【００３３】
記載された実施形態において、特定の実施例に関連して示される個々の特性は、実際には、他の実施形態に存在する、他の、異なる特性と置き換えるかもしれない。
【００３４】
図を参照すると、符号１は、一般的に、特に家具などの摺動可能なドアの戸（図示せず）に結合する装置を指し示す。
【００３５】
装置１は、横の断面がＨ字型で、平面図において多角形、好ましくは円形である第１のヘッド３と一体の、鋼から作られた、ピン２によって構成され、多角形の、好ましくは、円形の、胴部４が、実質的にＶ字型または丸まった、先端部５を、ヘッド３から、軸方向に突き出す。
【００３６】
装置１は、さらに環状部材によって構成され、ピン２の胴部４と相補的な形状の、それゆえ、特別な実施形態において、平面図において円形である、磁石６によって形成される。
【００３７】
磁石６を構成する環状部材は、その２つの端部に開口を有し、２つのうち１つは閉じられている。
【００３８】
ピン２の胴部４は、磁石６の内側に摺動可能で軸方向に配置されることができる。
【００３９】
磁石６は、直径方向に異なる極性を有する。それゆえ、磁気の観点から、一緒に連結された、相互に同一な、半円形で、反対の極性を有する第１の半分の環状部材６ａ及び第２の半分の環状部材６ｂに分けられている。
【００４０】
例えば、第１の半分の環状部材６ａは、Ｎ極を有し、第２の半分の環状部材６ｂはＳ極を有する。
【００４１】
磁石６は、ピン２の胴部４がそれの中に挿入された状態で、後者は、滑り摩擦なしで摺動可能であるように構造化される。
【００４２】
鋼のピン２の胴部４は、例えば、直径方向に分極した磁石６の内側に配置されたバネによって構成された減衰素子７と対照的に動く。
【００４３】
図６に示された実施形態において、減衰素子７は、直径方向に分極した磁石６の内側に配置される。好ましくは、減衰素子７の長さは、直径方向に分極した磁石の長さよりも短い。
【００４４】
ピン２の先端部５に向かって移動させる減衰素子７の端部８において、磁石６の中を滑ることができる挿入部１０の相補的な形状の胴部９は、軸方向に挿入される。
【００４５】
挿入部１０は、好ましくは、相互の連結を促進するために、ピン２の先端部５と相補的な形状の第２のヘッド１１を有する。
【００４６】
図７から９は、減衰素子７が、第１のヘッド３と次に結合し、半径方向に突き出る、第１の付属品１２と結合し、適切な角度で突き出るという解決策を示す。
【００４７】
減衰素子７は、実質的に、胴部４の自由終端５の方向へ、胴部４と平行に配置される。
【００４８】
減衰素子７の自由終端８は、磁石６を形成する第１または第２の半分の環状部材６ａ、６ｂの１つから半径方向に突き出ている第２の付属品１３と隣接して相互作用する。実施形態において、第２の付属品１３は、第２の半分の環状部材６ａから突き出ている。
【００４９】
装置の操作は次のようである。直径方向に分極した磁石６を得て有した後、ドアの戸を閉じる最終段階において、ピン２と結合し、胴部４は磁石６の内側に突き抜け、そして滑り摩擦なしで、それによって、軸方向の配置が維持される。
【００５０】
胴部４の先端部５は、それから、もし存在するなら、そのストローク動作の限界に達した時、所望の位置で止められるまで、それのストローク動作をゆっくりする減衰素子７と相互作用し、最適で、連続的に、閉じる間、及び開ける間、両方において一定である力を与える。
【００５１】
挿入部１０があると、環状部材の内側のバネの滑りを改善し、バネの圧縮と伸びの段階を改善することができる。
【００５２】
実際には、本発明は、スライディングドア、ドアの戸を含んでいる、スライディングドア、またはドアの戸に適用することができ、得られた装置で、完全に目的及び目標を達成し、部分的に直径方向に分極した環状部材を使うことによって、部品の間の滑り摩擦の存在、突き刺さりから、自由であり、それゆえ、それが家具の壁に急に閉まることを防ぐ一方で、ドアまたはドアの戸の案内された閉めと開きの最適化を達成することができる、単純な構造で提供されることがわかる。
【００５３】
さらに、装置の重さと大きさとコストが含まれ、一方で同時に、ドアの戸または引き出しの動作と滑りを最適化するように、様々な動作において摩擦と遊びの素子を含むことが可能である。
【００５４】
明らかに、本発明の個々の部品の大きさと同じように使われる材料は、特定の要求によってさらに関連があるかもしれない。
【００５５】
いくつかの異なる機能を達成する様々な手段は、確かに、示された実施形態においてのみ存在する必要がないだけでなく、示されていない、多くの実施形態において、存在していてもよい。
【００５６】
有利な、便利な、またはそのような上記に示された特性は、失われ、または同等な特性によって置き換えられてもよい。
【００５７】
この出願が優先権を主張する伊国実用新案出願ＭＩ２０１４Ｕ０００３４４（２０２０１４９０２３０８３５１）における開示は、ここで参照により包含される。
【００５８】
あらゆる請求項で言及された技術的特徴は、符号に従い、それらの符号は、請求項の理解を深めるためだけに含まれ、従って、そのような符号は、そのような符号によって実施例を手段として識別されるそれぞれの要素の解釈において、何ら限定する効果を有さない。
【図１】
0006767974.tif 000002
【図２】
0006767974.tif 000003
【図３】
0006767974.tif 000004
【図４】
0006767974.tif 000005
【図５】
0006767974.tif 000006
【図６】
0006767974.tif 000007
【図７】
0006767974.tif 000008
【図８】
0006767974.tif 000009
【図９】
0006767974.tif 000010